(57)【要約】【課題】位相補正方法、特に、非線形位相補正方法を提供すること。【解決手段】本発明に係る非線形位相補正方法は、グラディエントエコー（ｇｒａｄｉｅｎｔ  ｅｃｈｏ）ＥＰＩ（Ｅｃｈｏ  Ｐｌａｎａｒ  Ｉｍａｇｉｎｇ）により映像情報を獲得するステップと、スピンエコー（ｓｐｉｎ  ｅｃｈｏ）ＥＰＩにより基準情報を獲得するステップと、前記基準情報を基に前記映像情報を補正するステップとを含む。【選択図】図５ａ
2008154990.tif 000002
【特許請求の範囲】
【請求項１】
非線形位相補正方法において、
グラディエントエコー（ｇｒａｄｉｅｎｔ  ｅｃｈｏ）ＥＰＩ（Ｅｃｈｏ  Ｐｌａｎａｒ  Ｉｍａｇｉｎｇ）により映像情報を獲得するステップと、
スピンエコー（ｓｐｉｎ  ｅｃｈｏ）ＥＰＩにより基準情報を獲得するステップと、
前記基準情報を基に前記映像情報を補正するステップと
を含む、非線形位相補正方法。
【請求項２】
前記補正では、前記映像情報の位相値から前記基準情報の位相値を減算する、請求項１に記載の非線形位相補正方法。
【請求項３】
前記減算では、前記基準情報の位相を負の値に変換する、請求項２に記載の非線形位相補正方法。
【請求項４】
前記映像情報は、位相符号化傾斜磁場を印加した状態で獲得される、請求項３に記載の非線形位相補正方法。
【請求項５】
前記基準情報は、位相符号と傾斜磁場を得ない状態で獲得する、請求項４に記載の非線形位相補正方法。
【請求項６】
前記映像情報の位相値が、前記映像情報を１次元フーリエ変換（１  Ｄｉｍｅｎｓｉｏｎａｌ  Ｆｏｕｒｉｅｒ  Ｔｒａｎｓｆｏｒｍ）した情報の位相である、請求項５に記載の非線形位相補正方法。
【請求項７】
前記基準情報の位相値が、前記基準情報を１次元フーリエ変換し、プロジェクション（ｐｒｏｊｅｃｔｉｏｎ）した情報の位相である、請求項６に記載の非線形位相補正方法。
【請求項８】
請求項１に記載の非線形位相補正方法をコンピュータで実行するためのプログラムを記録したコンピュータ読み取り可能な記録媒体。
【請求項９】
請求項１に記載の非線形位相補正方法を適用して駆動する、磁気共鳴装置。
【発明の詳細な説明】
【技術分野】
【０００１】
本発明は、位相補正方法に関し、さらに詳細には非線形位相補正方法に関する。
【背景技術】
【０００２】
磁気共鳴イメージング（Ｍａｇｎａｔｉｃ  Ｒｅｓｏｎａｎｃｅ  Ｉｍａｇｉｎｇ；ＭＲＩ）は、人体内部の正確な映像を得るのに用いられている。ＭＲＩは、原子核の核磁気共鳴（Ｎｕｃｌｅａｒ  Ｍａｇｎｅｔｉｃ  Ｒｅｓｏｎａｎｃｅ；ＮＭＲ）の物理学に基づくものである。奇数個の中性子または奇数個の陽性子を有する核は、全体磁気モーメント（ｎｅｔ  ｍａｇｎｅｔｉｃ  ｍｏｍｅｎｔ）を有し、これらが核磁気共鳴する。
【０００３】
超高速の磁気共鳴映像技法のＥＰＩ（Ｅｃｈｏ  Ｐｌａｎａｒ  Ｉｍａｇｉｎｇ）は、脳機能磁気共鳴映像技法（ｆｕｎｃｔｉｏｎａｌ  ＭＲＩ；ｆＭＲＩ）、白質繊維組織の位置と方向を探知するＤＴＩ（Ｄｉｆｆｕｓｉｏｎ  Ｔｅｎｓｏｒ  Ｉｍａｇｉｎｇ）映像技法、心臓機能測定映像技法、ＤＷＩ（Ｄｉｆｆｕｓｉｏｎ  Ｗｅｉｇｈｔｅｄ  Ｉｍａｇｅ）映像技法、ＰＷＩ（Ｐｅｒｆｕｓｉｏｎ  Ｗｅｉｇｈｔｅｄ  Ｉｍａｇｅ）等に用いられる。
【０００４】
ＥＰＩ映像技法は、一般的には、エコー（Ｅｃｈｏ）信号を得る方法により、スピンエコー（Ｓｐｉｎ  Ｅｃｈｏ）とグラディエントエコー（Ｇｒａｄｉｅｎｔ  ｅｃｈｏ）の２種類の形態がある。
【０００５】
一般に、グラディエントエコーのＥＰＩ映像技法は、ｆＭＲＩおよび心臓（Ｃａｒｄｉａｃ）機能に関する映像を得るのに用いられ、スピンエコーのＥＰＩ映像技法は、ＤＴＩ映像、ＤＷＩ映像、ＰＷＩ映像などを得るのに用いられる。
【０００６】
ＥＰＩ映像技法は、超高速で信号を獲得するため、ハードウェアの限界になるまで使用する必要がある。また、シングル−ショット（Ｓｉｎｇｌｅ−Ｓｈｏｔ）で信号を獲得するため、主磁場の均一性、磁化率の変化、化学的転移などに極めて敏感である。このような制限と特性のため、様々な人工物（Ｎｙｑｕｉｓｔ  Ｇｈｏｓｔ、Ｇｅｏｍｅｔｒｉｃ  Ｄｉｓｔｏｒｔｉｏｎ）が、最終的に再構成された映像からうまれうる。
【０００７】
超高速のＥＰＩ映像技法で固有の人工物を除去する補正方法には、大きく線形位相補正方法と非線形位相補正方法に分類し得る。
【０００８】
線形位相補正方法として、Ｈｅｉｄ（Ｈｅｉｄ  Ｏ．Ｒｏｂｕｓｔ  ＥＰＩ  ｐｈａｓｅ  ｃｏｒｒｅｃｔｉｏｎ．Ｉｎ  ｐｒｏｃｅｅｄｉｎｇｓ  ｏｆ  ｔｈｅ  Ｓｏｃｉｅｔｙ  ｏｆ  Ｍａｇｎｅｔｉｃ  Ｒｅｓｏｎａｎｃｅ  ｉｎ  Ｍｅｄｉｃｉｎｅ  １９９７：ｐ２０１４）に提案された方法、すなわち基準情報を利用するために、付随的に獲得したナビゲータエコー（Ｎａｖｉｇａｔｏｒ  Ｅｃｈｏ）信号を利用して位相を求めた後、これを基に求められた位相を基本として獲得した信号に補正する方法がある。さらに、Ｂｕｏｎｏｃｏｒｅ（Ｂｕｏｎｏｃｏｒｅ  ＭＨ，Ｇａｏ  Ｌ．Ｇｈｏｓｔ  ａｒｔｉｆａｃｔ  ｒｅｄｕｃｔｉｏｎ  ｆｏｒ  ｅｃｈｏ  ｐｌａｎａｒ  ｉｍａｇｉｎｇ  ｕｓｉｎｇ  ｉｍａｇｅ  ｐｈａｓｅ  ｃｏｒｒｅｃｔｉｏｎ．Ｍａｇｎ．Ｒｅｓｏｎ．Ｍｅｄ．１９９７：３８：８９−１００．）に提案された方法、すなわち偶数（Ｅｖｅｎ）と奇数（Ｏｄｄ）の信号をそれぞれ取り出して映像を再構成した後、これらの２次元位相映像を作って１つのラインを選択し、これを利用して全体信号に適用して補正する方法がある。これらの２種類は最も広く用いられている。
【０００９】
非線形位相補正方法とは、位相傾斜磁場を除去したＥＰＩ映像技法により得られた付随的な基準情報信号の位相を用いて、位相傾斜磁場を印加するＥＰＩ映像技法により得られた信号の一つ一つの標本化点を補正する方法である。このような非線形位相補正方法は、線形位相補正方法に比べて、複数の情報を有するため、超高速のＥＰＩ映像技法で生じる人工物をさらに効果的に除去し得るという特性がある。
【発明の開示】
【発明が解決しようとする課題】
【００１０】
しかしながら、非線形位相補正方法を適用した場合、グラディエントエコーのＥＰＩ映像技法では、ある断面から得られる様々なエコー信号は、主磁場の均一性および磁化率の変化により、エコー信号の位相分散（Ｄｅｐｈａｓｅ）の程度が異なることが多くなる。このようなエコー信号の位相分散により、ストリーク人工物（Ｓｔｒｅａｋ  Ａｒｔｉｆａｃｔ）が生じうる。
【００１１】
そこで、本発明は、上述した従来の技術の問題点を解決するためになされたものであって、その目的は、ストリーク人工物が生じる原因を糾明してこれを補正する方法を提供することにある。
【課題を解決するための手段】
【００１２】
上述した課題を解決するための本発明に係る非線形位相補正方法は、グラディエントエコー（ｇｒａｄｉｅｎｔ  ｅｃｈｏ）ＥＰＩ（Ｅｃｈｏ  Ｐｌａｎａｒ  Ｉｍａｇｉｎｇ）により映像情報を獲得するステップと、スピンエコー（ｓｐｉｎ  ｅｃｈｏ）ＥＰＩにより基準情報を獲得するステップと、前記基準情報を基に前記映像情報を補正するステップとを含む。
【００１３】
ここで、前記補正は、前記映像情報の位相値から前記基準情報の位相値を減算することが好ましい。
【００１４】
前記減算は、前記基準情報の位相を負数変換することが好ましい。
【００１５】
前記映像情報は、位相符号化傾斜磁場を印加した状態で獲得されることが好ましい。
【００１６】
前記基準情報は、位相符号と傾斜磁場を印加しない状態で獲得することが好ましい。
【００１７】
前記映像情報の位相値は、前記映像情報を１次元フーリエ変換（１  Ｄｉｍｅｎｓｉｏｎａｌ  Ｆｏｕｒｉｅｒ  Ｔｒａｎｓｆｏｒｍ）した情報の位相であることが好ましい。
【００１８】
前記基準情報の位相値は、前記基準情報を１次元フーリエ変換し、プロジェクション（ｐｒｏｊｅｃｔｉｏｎ）した情報の位相であることが好ましい。
【００１９】
また、上述した課題を解決するため、本発明は、上述の非線形位相補正方法をコンピュータで実行するためのプログラムを記録したコンピュータ読み取り可能な記録媒体である。
【００２０】
さらに、上述した課題を解決するため、本発明は、上述の非線形位相補正方法を駆動する磁気共鳴装置である。
【発明の効果】
【００２１】
本発明によれば、磁気共鳴映像に現れる様々な人工物（Ｎｙｑｕｉｓｔ  Ｇｈｏｓｔ、Ｇｅｏｍｅｔｒｉｃ  Ｄｉｓｔｏｒｔｉｏｎ  ｅｔｃ．）とストリーク人工物とを補正することによって、安定した映像を獲得することができる。ストリーク人工物が生じる原因を糾明してこれを補正する。
【発明を実施するための最良の形態】
【００２２】
ストリーク人工物の発生現象は、Ｘｉａｏｐｉｎｇなどにより１９９６年の論文（Ｘｉａｏｐｉｎｇ  Ｈｕ  ａｎｄ  Ｔｕｏｎｇ  Ｈｕｕ  Ｌｅ，Ａｒｔｉｆａｃｔ  Ｒｅｄｕｃｔｉｏｎ  ｉｎ  ＥＰＩ  ｗｉｔｈ  Ｐｈａｓｅ−Ｅｎｃｏｄｅｄ  Ｒｅｆｅｒｅｎｃｅ  Ｓｃａｎ，Ｍａｇｎｅｔｉｃ  Ｒｅｓｏｎａｎｃｅ  ｉｎ  Ｍｅｄｉｃｉｎｅ、３４：１６６−１７１，１９９６）により最初に報告された。しかしながら、この論文では、ストリーク人工物の問題が発生する現象に対して、信号対雑音比、血管や脳脊髓液の流れにより発生し得るという蓋然性のみを言及した。
【００２３】
［ストリーク人工物の原因］
図１は、従来の方法により多様な変数に基づいて得られた基準情報を用いて再構成された映像の一例を示す図である。
公知の上記論文で言及したストリーク人工物の発生原因が信号対雑音比（ｓｉｇｎａｌ  ｔｏ  ｎｏｉｓｅ  ｒａｔｉｏ；ＳＮＲ）であるか否かを確認するために、グラディエントエコーの基準情報を獲得する変数を多様に変化させて獲得した。２つの平均変数（ｎｕｍｂｅｒ  ｏｆ  ｅｘｃｉｔａｔｉｏｎ；Ｎｅｘ．＝１，３２）を利用し、２つの異なるフリップ角（Ｆｌｉｐ  Ａｎｇｌｅ）の異なる数（例えば、約９度、９０度）を利用して実験した。図１には、上記の変数を活用して得た映像が示されている。
【００２４】
図１（ａ）および図１（ｂ）には、それぞれ、１と３２のＮｅｘ．に非線形補正方法を適用することにより得られた、位相補正された映像が示されている。このとき、フリップ角は、両方とも９０度である。図１ｃでは、Ｎｅｘ．が１でかつフリップ角が９度の条件で非線形補正方法を適用することにより得られた、位相補正された映像である。図２に示すように、平均変数を変更させることにより信号平均を高めるか、あるいはフリップ角を大きくしても、ストリーク人工物が補正されないことが確認できた。
【００２５】
図２ａ〜図２ｄには、従来の方法により互いに異なるシミング値を定義したときに基準情報の１次元フーリエ変換後に投射映像を用いて再構成された最終映像が例示されている。
【００２６】
この例は、ストリーク人工物とシミング値との相関関係があるか否かを確認するためのものである。図２ａおよび図２ｂには、互いに異なるシミング値を用いてグラディエントエコーの基準情報を得て、１次元フーリエ変換した投射映像が例示されている。それぞれの投射映像がほぼゼロの大きさになる位置は矢印で示されている。シミング値に応じて、投射映像がほぼゼロになる位置は互いに異なることがわかる。
【００２７】
図２ｃおよび図２ｄには、２つの投射映像を用いて最終的に再構築して非線形位相補正した映像が例示されている。２つの投影映像は、シミング値に応じて、同じ断面の異なる位置でほぼゼロの大きさになる。非線形位相補正された最終映像からストリーク人工物が生じることがわかる。
【００２８】
このような結果を基づくと、ストリーク人工物は、公知の研究で言及した基準情報の信号対雑音比に起因するものではなく、通常は、次のようなケースに生じる。グラディエントエコーの基準情報を用いて信号を得る場合に、主磁場の均一性が不安定で、かつ磁化率の差がより大きくなると、信号が位相分散し、その結果、１次元フーリエ変換後、投射映像の大きさがほぼゼロになることがわかった。
【００２９】
また、投射映像の大きさがほぼゼロになる位置の位相を用いて、主情報に非線形位相補正をするため、深刻な位相誤差を引き起こす。したがって、このような位相分散が発生しない基準情報を得ると、ストリーク人工物を除去することができる。
【００３０】
［本発明に係る補正方法］
非線形位相補正方法を数式化すると、下記の数６及び数７のとおりである。
【００３１】
ここで、下記の数１及び数２は、それぞれ付随的に獲得する基準情報の磁気共鳴信号とイメージ情報を獲得する磁気共鳴信号を示す。
【００３２】
【数１】
2008154990.tif 000003
【００３３】
【数２】
2008154990.tif 000004
【００３４】
また、下記の数３および数４は、それぞれ理想的な場合、すなわち、主磁場が均一し磁化率に影響を受けない場合の基準情報とイメージ情報の磁気共鳴信号を示す。
【００３５】
【数３】
2008154990.tif 000005
【００３６】
【数４】
2008154990.tif 000006
【００３７】
下記数５は、それぞれは、上記した４つの磁気共鳴信号の１次元フーリエ変換した後の信号を示す。仮に、１次元フーリエ変換した後の投射情報に位相誤差（Φ(x)）が存在すると、下記の数６及び数７で基準情報とイメージ情報の信号を表示することができる。
【００３８】
【数５】
2008154990.tif 000007
【００３９】
【数６】
2008154990.tif 000008
【００４０】
【数７】
2008154990.tif 000009
【００４１】
非線形位相関数は位相補正に用いられる。非線形位相関数は、基準情報の位相部分を負の値に変換して得る。非線形位相関数は、数８のとおりである。
【００４２】
【数８】
2008154990.tif 000010
【００４３】
位相補正後の信号は、数９のように予測できる。
【００４４】
【数９】
2008154990.tif 000011
【００４５】
基準情報を獲得する方法は、イメージ情報を獲得する方法から位相符号化傾斜磁場のみを除去するため、基準情報とイメージ情報との位相誤差は、実質的には数１０とみることができる。したがって、数９で予測された情報と獲得された情報とは実質的には同じであるので、数１１のように定義される。
【００４６】
【数１０】
2008154990.tif 000012
【００４７】
【数１１】
2008154990.tif 000013
【００４８】
上記のように非線形位相補正方法の数式化において、基準情報の位相は、イメージ情報の位相に定数値を加減すると仮定すると、数１２のようになる。
【００４９】
【数１２】
2008154990.tif 000014
【００５０】
予測された情報を求めるために、数９に数１２を代入すると、数１３のとおりとなる。
【００５１】
【数１３】
2008154990.tif 000015
【００５２】
数１３から分かるように、定数位相の加減は、非線形位相補正方法を使用する場合、補正方法の適用ステップには影響を与えるが、最終的に再構成した映像には何らの影響を及ぼさない。
【００５３】
以上のような定数位相補正性質を利用して、ストリーク人工物を除去し得ることが理論的に証明された。
【００５４】
図３は、本発明の実施の形態におけるスピンエコーのＥＰＩを用いて基準情報を獲得するための技法を示す図である。基準情報を得るためのスピンエコーのＥＰＩは、主磁場の均一性と磁化率の差に敏感に反応するグラディエントエコーのＥＰＩに代えて提案される。
【００５５】
図４は、本発明の実施の形態における映像技法により得られた信号特性を示す図である。図４に例示されたように、同一の時間の間に、スピンエコーのＥＰＩにより得られた信号は、グラディエントエコーのＥＰＩにより得られた信号よりも、はるかに大きい。このため、主磁場の均一性や磁化率の差に対する感度に関係なく、安定した信号を獲得することができる。図４の点線は、スピンエコーの信号を示したもので、二重点線は、グラディエントエコーの信号を示したものである。ＴＥは、エコー時間を示す。
【００５６】
図５ａ〜ｆは、グラディエントエコーのＥＰＩにより得られた基準情報を用いた場合と、スピンエコーのＥＰＩにより得られた基準情報を用いた場合との比較結果を示したものである。
【００５７】
図５ａと図５ｂは、グラディエントエコーおよびスピンエコーのＥＰＩにより得られた２つの基準情報の位相分布の概略図である。二つの位相分布での差異点は、定数値のオフセットのみが存在するという点にある。このようなオフセットは、位相補正法を適用して最終的に再構成される映像には影響がないが、位相補正方法には影響する。
【００５８】
図５ｃと図５ｄは、グラディエントエコーとスピンエコーのＥＰＩにより得られた２つの基準情報の大きさが、それぞれ、１次元フーリエ変換されたものを示す図である。２つのＥＰＩの差異点は、主磁場の均一性と磁化率の差に対応する感度に起因したスピンの位相分散にある。
【００５９】
図５ｅと図５ｆは、図５ｃと図５ｄで図示された同じ位置での３つの縦断面を示す図である。グラディエントエコーのＥＰＩにより得られた基準情報の大きさは、ある領域でゼロになる。他方、スピンエコーのＥＰＩにより得られた基準情報の大きさは、縦断面の各位置で変化しないことが分かる。
【００６０】
図６は、非線形位相補正方法の適用前に再構成された映像、グラディエントエコーのＥＰＩにより得られた基準情報を用いて再構成された映像、及びスピンエコーのＥＰＩにより得られた基準情報を用いて再構成された映像のマイクログラフを示す図である。
【００６１】
図６（ａ）は、位相補正を行わずに再構成された映像を示す図である。図６（ｂ）は、グラディエントエコーのＥＰＩの基準情報を用いて非線形位相補正で再構成された映像を示す図である。図６（ｃ）は、スピンエコーのＥＰＩ基準情報を用いて非線形位相補正を行って再構成された映像を示す図である。本発明の実施の形態による非線形位相補正方法を適用した場合、従来の非線形位相補正方法が適用されて生じたストリーク人工物なしで、安定した映像を獲得できることを確認した。
【００６２】
本発明の実施の形態による非線形位相補正方法は、グラディエントエコーＥＰＩにより映像情報を獲得するステップ、スピンエコーＥＰＩにより基準情報を獲得するステップ、及びスピンエコー基準情報を基にグラディエントエコー映像情報を補正するステップを含む。このような方法は、スピンエコーＥＰＩによる基準情報により位相が補正されるため、ストリーク人工物が補正された安定した映像を獲得することができる。
【００６３】
本発明による非線形位相補正方法によれば、磁気共鳴映像に現れる様々な人工物（Ｎｙｑｕｉｓｔ  Ｇｈｏｓｔ、Ｇｅｏｍｅｔｒｉｃ  Ｄｉｓｔｏｒｔｉｏｎ  ｅｔｃ．）とストリーク人工物とを補正することによって、安定した映像を獲得することができる。ストリーク人工物が生じる原因を糾明してこれを補正する。また、本発明では、位相符号化傾斜磁場を除去したスピンエコー形態のＥＰＩ映像技法を使用することができるという当為性を証明するために、定数（Ｃｏｎｓｔａｎｔ）の位相を付加して最終再構成された映像で変化がないことを見せた。なお、このように定数を付加する位相補正方法は、非線形位相補正方法を使用する他の映像技法にも適用され得ることは自明である。
映像情報は、位相符号化傾斜磁場が得られた状態で獲得され、基準情報は、位相符号および傾斜磁場が得られない状態で獲得される。
【００６４】
映像情報の位相値は、１次元フーリエ変換した映像情報の位相であり、基準情報の位相値は、１次元フーリエ変換し映された基準情報の位相である。
【００６５】
補正は、映像情報の位相値から基準情報の位相値を減算して実行し、減算は、基準情報の位相を負の値に変換して実行される。
【００６６】
また、上述の非線形補正方法は、コンピュータで読み取り可能なプログラムを記録した記録媒体を用いることにより、当該プログラムをコンピュータが実行することにより実現される。
【００６７】
さらに、上述の非線形位相補正方法は、磁気共鳴装置で適用されて磁気共鳴映像を得る。
【００６８】
なお、本発明は、上記の実施形態に限定されるものではなく、本発明に係る技術的思想から逸脱しない範囲内で様々な変更が可能であり、それらも本発明の技術的範囲に属する。
【図面の簡単な説明】
【００６９】
【図１】従来の方法により多様な変数で獲得した基準情報を用いて再構成された映像を示す図である。
【図２ａ】従来の方法により互いに異なるシミング（Ｓｈｉｍｍｉｎｇ）値を用いてグラディエントエコーの基準情報を得て、１次元フーリエ変換（１  Ｄｉｍｅｎｓｉｏｎａｌ  Ｆｏｕｒｉｅｒ  Ｔｒａｎｓｆｏｒｍ）した投射映像を示す図である。
【図２ｂ】従来の方法により互いに異なるシミング値を用いてグラディエントエコーの基準情報を得て、１次元フーリエ変換した投射映像を示す図である。
【図２ｃ】従来の方法により２つの投射映像を用いて最終的に再構築して非線形位相補正した映像を示す図である。
【図２ｄ】従来の方法により２つの投射映像を用いて最終的に再構築して非線形位相補正した映像を示す図である。
【図３】本発明の実施の形態におけるスピンエコーのＥＰＩを用いて基準情報を獲得するための技法を示す図である。
【図４】本発明に係る映像技法の信号性質を示したものである。
【図５ａ】グラディエントエコーおよびスピンエコーのＥＰＩにより得られた２つの基準情報の位相分布の概略図である。
【図５ｂ】グラディエントエコーおよびスピンエコーのＥＰＩにより得られた２つの基準情報の位相分布の概略図である。
【図５ｃ】グラディエントエコーとスピンエコーのＥＰＩにより得られた２つの基準情報の大きさが、それぞれ、１次元フーリエ変換されたものを示す図である。
【図５ｄ】グラディエントエコーとスピンエコーのＥＰＩにより得られた２つの基準情報の大きさが、それぞれ、１次元フーリエ変換されたものを示す図である。
【図５ｅ】図５ｃで図示された同じ位置での３つの縦断面を示す図である。
【図５ｆ】図５ｄで図示された同じ位置での３つの縦断面を示す図である。
【図６】非線形位相補正方法を適用する前の再構成された映像、グラディエントエコー形態のＥＰＩ基準情報を利用した方法で再構成された映像、及びスピンエコー形態のＥＰＩ基準情報を利用した方法で再構成された映像を比較したものである。
【図１】
2008154990.tif 000016
【図２ａ】
2008154990.tif 000017
【図２ｂ】
2008154990.tif 000018
【図２ｃ】
2008154990.tif 000019
【図２ｄ】
2008154990.tif 000020
【図３】
2008154990.tif 000021
【図４】
2008154990.tif 000022
【図５ａ】
2008154990.tif 000023
【図５ｂ】
2008154990.tif 000024
【図５ｃ】
2008154990.tif 000025
【図５ｄ】
2008154990.tif 000026
【図５ｅ】
2008154990.tif 000027
【図５ｆ】
2008154990.tif 000028
【図６】
2008154990.tif 000029